(57)【要約】【課題】伸縮可能な複数のＸ字型連結部材の各端部を長ピン軸により連結し、当該Ｘ字型連結部材に間仕切り部材を取着したアコーディオン式間仕切り装置にて、前記間仕切り部材の下辺側の隙間を閉塞可能にする隙間閉塞装置を提供する。【解決手段】本発明の隙間閉塞装置８は、間仕切り部材（カーテン材２）の下辺側に位置する密封材９と、この密封材９の上辺の対向する両側部にそれぞれ一端を取りつけた一対の吊りテープ１０と、一対の吊りテープ１０の各他端をＸ字型連結部材５にて相対向する長ピン軸６の下端部にそれぞれ相対回動可能に係止する係止部材１２とを備える。一対の吊りテープ１０は、弾性且つ可撓性の材料からなり、カーテン材２の開閉方向の複数個所に配設され、カーテン材２の開閉による当該Ｘ字型連結部材５の伸縮を利用して密封材９を上下させることにより、カーテン材２の下辺側の隙間を閉塞可能にしている。【選択図】図８
2015212456.tif 000002
【特許請求の範囲】
【請求項１】
伸縮可能な複数のＸ字型連結部材の各端部を長ピン軸により連結し、当該Ｘ字型連結部材に間仕切り部材を取着したアコーディオン式間仕切り装置にて、前記間仕切り部材の下辺側の隙間を閉塞可能にする隙間閉塞装置であって、
前記間仕切り部材の下辺側に位置する密封材と、
前記密封材の上辺の対向する両側部にそれぞれ一端を取りつけた一対の吊りテープと、
前記一対の吊りテープの各他端を前記Ｘ字型連結部材にて相対向する長ピン軸の下端部にそれぞれ相対回動可能に係止する係止部材とを備え、
前記一対の吊りテープは、弾性且つ可撓性の材料からなり、前記間仕切り部材の開閉方向にて複数個所に配設され、前記間仕切り部材の開閉による当該Ｘ字型連結部材の伸縮を利用して前記密封材を上下させることにより、前記間仕切り部材の下辺側の隙間を閉塞可能にしたことを特徴とする隙間閉塞装置。
【請求項２】
前記一対の吊りテープの各々は、前記長ピン軸に対し係止位置を変更可能とする複数の係止穴を有することを特徴とする、請求項１に記載の隙間閉塞装置。
【請求項３】
前記係止部材は、略Ｕ字状の上端部及び筒状の下端部を有し、該略Ｕ字状の上端部と該筒状の下端部との間の基体部は弾性変形可能であり、
該筒状の下端部は、当該吊りテープが前記長ピン軸に対し係合された状態で前記長ピン軸の下端部を挿通可能に構成され、
該略Ｕ字状の上端部は、前記長ピン軸の下端部が該筒状の下端部に挿通された状態で、当該基体部の弾性変形を経て前記Ｘ字型連結部材の上方位置の当該長ピン軸に係合可能に構成されていることを特徴とする、請求項１又は２に記載の隙間閉塞装置。
【請求項４】
前記間仕切り部材の開閉方向に隣接する複数の当該吊りテープ間で、前記密封材の上辺を吊下支持する吊下支持部材と、当該Ｘ字型連結部材の中心部を保持する短ピン軸の下端部にて、前記吊下支持部材を保持する保持部材と、を更に備えることを特徴とする、請求項１から３のいずれか一項に記載の隙間閉塞装置。
【請求項５】
前記吊下支持部材は、無端状とするべく末端を嵌合可能なコードからなり、前記密封材が、該コードにより、前記密封材の上辺における一側部から懸回させて吊下支持されるように構成されていることを特徴とする、請求項１から４のいずれか一項に記載の隙間閉塞装置。
【発明の詳細な説明】
【技術分野】
【０００１】
本発明は、アコーディオンカーテンや折戸等の間仕切り装置における隙間閉塞装置に関する。
【背景技術】
【０００２】
アコーディオンカーテンや折戸等の間仕切り装置は、蛇腹状に伸縮可能としたカーテン材を壁面間で引き出し、或いは一方の壁面側に畳み込んで、室内空間を適宜に区画するものである。
【０００３】
このような間仕切り装置では、ハンガーレール内を移動可能な複数のランナーを用いてカーテン材を吊下支持するように構成される。
【０００４】
例えばアコーディオンカーテンでは、複数のＸ字型連結部材の蝶番からなりパンタグラフ状に伸縮する骨組みに、カーテン材が取着されてカーテン本体が構成され、この骨組みの一端の支軸に移動框が相対回動可能に取着され、その他端の支軸に固定框が相対回動可能に取着されている。固定框は壁面に固定され、移動框を移動させることにより、カーテン本体をハンガーレールに沿って伸縮可能としている。
【０００５】
このような間仕切り装置においては、カーテン材の下辺と床面との間に一定の隙間が設けられており、カーテン材の下辺が床面と擦れて損傷するのを防止するように構成されている。
【０００６】
一方、このカーテン材の下辺と床面との間の隙間に対して、別個の部材を設ける技法が知られている。
【０００７】
例えば、複数のＸ字型連結部材の各端部を連結する長ピン軸の下端部にて、相対向する長ピン軸を連結するように蝶番式支持板を回動可能に配設し、この蝶番式支持板の下面に所定の突起物を設け、当該カーテン材の開閉によるＸ字型連結部材の伸縮を利用して当該所定の突起物を上下させるよう構成した装置が開示されている（例えば、特許文献１参照）。
【０００８】
また、複数のＸ字型連結部材の各端部を連結する長ピン軸（垂直ロッド）下端にてブッシュ材を固着し、張設するカーテン材に沿って当該カーテン材の下辺に裾当材を配設するために、このブッシュ材に対して裾当材の上辺に取付けた筒管を上下方向に調節できるよう相係合させる弾板を設けるように構成した装置が開示されている（例えば、特許文献２参照）。
【先行技術文献】
【特許文献】
【０００９】
【特許文献１】実公昭５９−２３１２号公報
【特許文献２】実公昭６２−４００５５号公報
【発明の概要】
【発明が解決しようとする課題】
【００１０】
前述したように、アコーディオンカーテンや折戸等の間仕切り装置では、間仕切り部材（カーテン材）の下辺と床面との間に一定の隙間が設けられ、間仕切り部材（カーテン材）の下辺が床面と擦れて損傷するのを防止するように構成されている。
【００１１】
一方で、例えば当該間仕切り装置で間仕切りする室内の温度を保持したい場合など、この間仕切り部材（カーテン材）の下辺と床面との間の隙間が、間仕切り部材（カーテン材）の全閉状態時には閉塞される構成が望まれている。
【００１２】
そこで、特許文献１の技法を利用して、当該所定の突起物として密封材を用い、当該カーテン材の開閉によるＸ字型連結部材の伸縮を利用して当該密封材を上下させるよう構成することが考えられる。しかしながら、この構成では、蝶番式支持板として硬質材料が想定され、長ピン軸と蝶番式支持板とを連結するように構成することになるため、当該間仕切り装置の装置幅の違いによる蝶番の開き具合によって密封材が床面と接しない場合でも調節ができないという問題点がある。また、特許文献１の技法では、部品点数が増大し、高コストになる。また、カーテン材の下辺と床面との間の隙間を閉塞するために、カーテン材の下辺付近で硬質な蝶番式支持板を用いることは、居住者の足元に対する安全面を考慮すると改善すべき課題がある。
【００１３】
また、特許文献２の技法では、長ピン軸（垂直ロッド）下端にてブッシュ材を固着し、弾板を利用して、このブッシュ材に対して裾当材の上辺に取付けた筒管を上下方向に細かく調節できるよう相係合させることになるが、長ピン軸（垂直ロッド）は多数あることから、この位置調節には大変な手間がかかることになる。また、特許文献２の技法では、部品点数が増大し、高コストになる。更に、張設するカーテン材に沿って裾当材を配設する構成であるため、カーテン材の下辺が床面と擦れて損傷するのを防止できる一方で、この裾当材が常時、床面と擦れるために頻繁に取り換えを要するおそれがある。この場合、利用者にとっては、その取り換えの度に位置調節に手間がかかるだけでなく、その管理負担、及びランニングコストが増大するという問題点がある。
【００１４】
したがって、間仕切り部材（例えばカーテン材）の下辺と床面との間の隙間を密封材により間仕切り部材の全閉状態時に閉塞するにあたり、好適には、当該間仕切り装置の装置幅の違いによる当該密封材を吊下支持する際の位置調整を許容し容易にするとともに、部品点数を少なくするとともに低廉化を図る技法が望まれる。また、居住者の足元に対する安全面を確保し、管理負担及びランニングコストを減少させる技法が望まれる。
【００１５】
本発明の目的は、上述の各問題に鑑みて、伸縮可能な複数のＸ字型連結部材の各端部を長ピン軸により連結し、当該Ｘ字型連結部材に間仕切り部材を取着したアコーディオン式間仕切り装置にて、間仕切り部材の下辺と床面との間の隙間を閉塞可能にする隙間閉塞装置を提供することにある。
【課題を解決するための手段】
【００１６】
本発明の隙間閉塞装置は、伸縮可能な複数のＸ字型連結部材の各端部を長ピン軸により連結し、当該Ｘ字型連結部材に間仕切り部材（後述する実施形態の例では、カーテン材）を取着したアコーディオン式間仕切り装置にて、前記間仕切り部材の下辺側に密封材を位置付け、当該間仕切り部材の開閉によるＸ字型連結部材の伸縮を利用して当該密封材を上下させることで、前記間仕切り部材の下辺と床面との間の隙間を閉塞可能にする。当該複数のＸ字型連結部材の中心部は短ピン軸により保持されており、Ｘ字型連結部材が相対回動可能に構成される。密封材の上辺両側部にそれぞれ一端を取付けた一対の吊りテープの各他端を相対向する長ピン軸の下端部の各々に係止するために、係止部材が用いられる。ここで、吊りテープは長ピン軸に対し係止位置が変更可能な形状（複数の係止穴）を有する。また、短ピン軸の下端部には保持部材が取着され、この保持部材は、密封材の上辺を吊下支持する吊下支持部材（後述する実施形態の例では、垂れ防止ループコード）の一部を保持するように構成される。
【００１７】
これにより、間仕切り部材の開方向に畳み込んだ際にはＸ字型連結部材の蝶番が拡がることで相対向する長ピン軸の間の距離も拡がり、各長ピン軸に係止された吊りテープが引張られ、密封材が床面に対して上昇する。一方、間仕切り部材を閉方向に引き出す際には、Ｘ字型連結部材の蝶番が狭まることで相対向する長ピン軸の間の距離も狭まり、各長ピン軸に係止され引張られていた吊りテープが床面に向かって移動することにより密封材が下降し、間仕切り部材の全閉時には密封材が床面と接触する。
【００１８】
即ち、本発明の隙間閉塞装置は、伸縮可能な複数のＸ字型連結部材の各端部を長ピン軸により連結し、当該Ｘ字型連結部材に間仕切り部材を取着したアコーディオン式間仕切り装置にて、前記間仕切り部材の下辺側の隙間を閉塞可能にする隙間閉塞装置であって、前記間仕切り部材の下辺側に位置する密封材と、前記密封材の上辺の対向する両側部にそれぞれ一端を取りつけた一対の吊りテープと、前記一対の吊りテープの各他端を前記Ｘ字型連結部材にて相対向する長ピン軸の下端部にそれぞれ相対回動可能に係止する係止部材とを備え、前記一対の吊りテープは、弾性且つ可撓性の材料からなり、前記間仕切り部材の開閉方向にて複数個所に配設され、前記間仕切り部材の開閉による当該Ｘ字型連結部材の伸縮を利用して前記密封材を上下させることにより、前記間仕切り部材の下辺側の隙間を閉塞可能にしたことを特徴とする。
【００１９】
また、本発明の隙間閉塞装置において、前記一対の吊りテープの各々は、前記長ピン軸に対し係止位置を変更可能とする複数の係止穴を有することを特徴とする。
【００２０】
また、本発明の隙間閉塞装置において、前記係止部材は、略Ｕ字状の上端部及び筒状の下端部を有し、該略Ｕ字状の上端部と該筒状の下端部との間の基体部は弾性変形可能であり、該筒状の下端部は、当該吊りテープが前記長ピン軸に対し係合された状態で前記長ピン軸の下端部を挿通可能に構成され、該略Ｕ字状の上端部は、前記長ピン軸の下端部が該筒状の下端部に挿通された状態で、当該基体部の弾性変形を経て前記Ｘ字型連結部材の上方位置の当該長ピン軸に係合可能に構成されていることを特徴とする。
【００２１】
また、本発明の隙間閉塞装置において、前記間仕切り部材の開閉方向に隣接する複数の当該吊りテープ間で、前記密封材の上辺を吊下支持する吊下支持部材と、当該Ｘ字型連結部材の中心部を保持する短ピン軸の下端部にて、前記吊下支持部材を保持する保持部材と、を更に備えることを特徴とする。
【００２２】
また、本発明の隙間閉塞装置において、前記吊下支持部材は、無端状とするべく末端を嵌合可能なコードからなり、前記密封材が、該コードにより、前記密封材の上辺における一側部から懸回させて吊下支持されるように構成されていることを特徴とする。
【発明の効果】
【００２３】
本発明によれば、部品点数を少なくするとともに低廉化を図った上で、間仕切り部材の下辺と床面との間の隙間を密封材により間仕切り部材の全閉状態時に閉塞することが可能となる。また、当該間仕切り装置の装置幅の違いによる当該密封材を吊下支持する際の位置調整を許容し容易にするとともに部品点数を少なくするとともに低廉化を図ることができる。また、従来技術と比して、居住者の足元に対する安全面を確保し、管理負担及びランニングコストの減少させることが可能となる。
【図面の簡単な説明】
【００２４】
【図１】本発明による一実施形態の隙間閉塞装置を備える間仕切り装置としてのアコーディオンカーテンの全体構成を示す正面図である。
【図２】本発明による一実施形態の隙間閉塞装置を備える間仕切り装置としてのアコーディオンカーテンについて全閉状態時の上方から見て各要素の配置関係を示す平面図である。
【図３】本発明による一実施形態の隙間閉塞装置に関する分解斜視図である。
【図４】（ａ），（ｂ）は、本発明による一実施形態の隙間閉塞装置における吊りテープ及び垂れ防止ループコードの概略構成を示す構成図である。
【図５】（ａ），（ｂ），（ｃ），（ｄ）は、本発明による一実施形態の隙間閉塞装置における係止部材の概略構成を示す構成図である。
【図６】（ａ），（ｂ），（ｃ），（ｄ）は、本発明による一実施形態の隙間閉塞装置における保持部材の概略構成を示す構成図である。
【図７】（ａ），（ｂ），（ｃ）は、本発明による一実施形態の隙間閉塞装置における吊りテープの係止方法について説明する図である。
【図８】（ａ），（ｂ）は、本発明による一実施形態の隙間閉塞装置の動作について説明する図である。
【発明を実施するための形態】
【００２５】
以下、図面を参照して、本発明による一実施形態の隙間閉塞装置を説明する。尚、本願明細書中、図１に示すアコーディオンカーテン１の正面図に対して、図示上方及び図示下方をアコーディオンカーテン１の吊り下げ方向に準じてそれぞれ上方向（又は上側）及び下方向（又は下側）と定義し、図示右方向をアコーディオンカーテン１の右方向（又は右側）、及び、図示左方向をアコーディオンカーテン１の左方向（又は左側）、図示を視認する側をアコーディオンカーテン１の前方向（又は前側）、これに相対して奥側をアコーディオンカーテン１の後方向（又は後側）と定義して説明する。例えば、アコーディオンカーテン１の前後方向と称するときは、図１の正面図においてその図示した正面に対して垂直な方向を云う。また、高さについて言及するときは、アコーディオンカーテン１を設置する床面に対して垂直に延びる上方向の長さを云う。
【００２６】
（アコーディオンカーテンの構成）
まず、本発明による一実施形態の隙間閉塞装置８を適用可能な間仕切り装置としてのアコーディオンカーテン１の構成を説明する。図１は、本発明による一実施形態の隙間閉塞装置８を備える間仕切り装置としてのアコーディオンカーテン１の全体構成を示す正面図である。図２は、本発明による一実施形態の隙間閉塞装置８を備える間仕切り装置としてのアコーディオンカーテン１について全閉状態時の上方から見て各要素の配置関係を示す平面図である。
【００２７】
図１及び図２に示すアコーディオンカーテン１は、図示しないハンガーレール内を移動可能な複数のランナーを用いて間仕切り部材（カーテン材２）を吊下支持するように構成され、複数のＸ字型連結部材５（蝶番）からなるパンタグラフ状に伸縮する骨組みに、カーテン材２が取着されてカーテン本体が構成される。この骨組みの一端の支軸に移動框３が相対回動可能に取着され、その他端の支軸に固定框４が相対回動可能に取着されている。固定框４は壁面に固定され、移動框３を移動させることにより、カーテン材２を取着したカーテン本体をハンガーレールに沿って伸縮可能としている。
【００２８】
尚、ハンガーレール（図示せず）は、カーテン材２を吊下支持する複数のランナーが移動可能なように下端側が開口している略四角筒状の部材であり、ハンガーレールの上端面は、所定のブラケットを介して、或いは直接的に天井側の取付面に固定される。
【００２９】
複数のＸ字型連結部材５の各端部は長ピン軸６により相対回動可能に連結され、その中心部は短ピン軸７により相対回動可能に保持されている。長ピン軸６は、例えば１つおきの間隔で、ハンガーレール内を移動するランナーの吊下部材（図示せず）により吊り下げられている。
【００３０】
また、図１には、複数のＸ字型連結部材５からなる骨組みについて、カーテン材２の下端部側に１セットを図示しているのみであるが、例えば上下方向に３セット設けるなど、上下方向に２つ以上であれば幾つであってもよい。各セットの複数のＸ字型連結部材５からなる骨組みは、共通の長ピン軸６により保持される。尚、本発明とは直接的に関係しないが、当該骨組みは、図２に示すように、各菱形部分を構成する略平行なＸ字型連結部材５のリンク片間に、カーテン材２を閉方向に付勢して移動框３が全閉状態まで自動的に移動するよう、複数のコイルスプリング（図示せず）を配設することが可能なリング状の引掛部が複数個所に配設されている。
【００３１】
（隙間閉塞装置の構成）
本実施形態の隙間閉塞装置８は、カーテン材２の下辺と床面ＦＬとの間の隙間をカーテン材２の全閉状態時に閉塞可能にする装置であり、密封材９、吊りテープ１０、垂れ防止ループコード１１、係止部材１２、及び保持部材１３を備える。
【００３２】
密封材９は、例えば布製の部材からなり、カーテン材２の下辺側に位置付けられる。密封材９は、カーテン材２の下端部と床面ＦＬとの間の隙間をカーテン材２の全閉状態時に閉塞するのに十分な上下方向（即ち、高さ方向）の縦寸法と、左右方向（即ち、カーテン材２の開閉方向）の横寸法を有する。
【００３３】
吊りテープ１０は、幅狭で薄く、一定以上の長さを持つ帯状の材料であり、弾性を有し、且つ可撓性の材料からなり、例えばポリプロピレン等の樹脂材を用いることができる。吊りテープ１０の一端は、密封材９の上辺に縫い付け等により取着され、その他端は長ピン軸６の下端部に係止可能な係止穴１０ａを有する。そして、一対の吊りテープ１０の各一端が、相対向する長ピン軸６の各々に対してそれぞれ相対回動可能に係止され、その各他端が密封材９の上辺両側部に取着される。好適には、この係止穴１０ａは、長ピン軸に対し係止位置を変更可能とするよう複数設けられる。
【００３４】
垂れ防止ループコード１１は、密封材９の吊下支持部材として設けられる。垂れ防止ループコード１１のコード部分は、密封材９の上辺を吊下支持するのに十分な一定の強度を有するとともに高柔軟性の材料からなり、例えば繊維材、ポリプロピレンやナイロン材、ゴム材、或いは革材等の材料を用いることができる。本実施形態の例では、垂れ防止ループコード１１は、密封材９の上辺を吊下支持するために、その一端部を保持部材１３（後述する下端保持部１３ａの挿通孔１３ｄ）に懸回させた後、密封材９の上辺における一方の側部から他方の側部を抜けて当該一方の側部に戻すよう括り付けることで懸回させる。その後、垂れ防止ループコード１１の両端部に嵌合部材（後述する結束用突起部１１ａと嵌合孔１１ｅを穿設した結束用嵌合部１１ｂ）を設けて嵌合させることで無端状のコードを形成する。尚、垂れ防止ループコード１１は、図１に示すように、密封材９の吊下支持のバランスを取るために、密封材９の上辺における括り付け方向が交互に入れ替わるように懸回させるのが好適である。
【００３５】
係止部材１２は、弾性を有する材料から成形されており、ポリオキシメチレンなどのアセタール樹脂等の材料を用いることができる。係止部材１２は、詳細に後述するように、密封材９の上辺に一端を取付けた吊りテープ１０の他端を長ピン軸６の下端部に相対回動可能に係止するのに用いられる。
【００３６】
保持部材１３は、成形可能な任意の樹脂材料からなり、短ピン軸７の下端部に対して回動可能に取着され、密封材９の上辺を吊下支持する垂れ防止ループコード１１におけるコード部分の一部を、後述する下端保持部１３ａの挿通孔１３ｄにて懸回させることで保持するように構成される。
【００３７】
以下、図３〜図６を参照して、本実施形態の隙間閉塞装置８の構成について詳細に説明する。図３は、本発明による一実施形態の隙間閉塞装置８に関する分解斜視図である。図４（ａ），（ｂ）は、本発明による一実施形態の隙間閉塞装置８における吊りテープ１０及び垂れ防止ループコード１１の概略構成を示す構成図である。図５（ａ），（ｂ），（ｃ），（ｄ）は、本発明による一実施形態の隙間閉塞装置８における係止部材１２の概略構成を示す構成図である。図６（ａ），（ｂ），（ｃ），（ｄ）は、本発明による一実施形態の隙間閉塞装置８における保持部材１３の概略構成を示す構成図である。
【００３８】
まず、図３を参照するに、複数のＸ字型連結部材５の各端部が長ピン軸６により連結されている状態で、カーテン材２の下辺側に密封材９を位置付け、カーテン材２の開閉によるＸ字型連結部材５の伸縮を利用して当該密封材９を上下させることで、カーテン材２の下辺と床面との間の隙間を閉塞可能にする。ここで、Ｘ字型連結部材５の中心部は短ピン軸７により保持されており、Ｘ字型連結部材５が相対回動可能に構成されている。
【００３９】
密封材９の上辺両側部における固着部５１にて縫付け等によりそれぞれ一端を取付けた一対の吊りテープ１０の各他端は、係止部材１２を用いて相対向する長ピン軸６の下端部の各々に係止される。そして、吊りテープ１０の各々は、長ピン軸６に対し係止位置を変更可能とする複数の係止穴１０ａが設けられる。
【００４０】
短ピン軸７の下端部には保持部材１３が回動可能に取着され、この保持部材１３は、密封材９の上辺を吊下支持する垂れ防止ループコード１１におけるコード部分の一部を、下端保持部１３ａの挿通孔１３ｄにて懸回させることで保持するように構成される。
【００４１】
垂れ防止ループコード１１は、密封材９の上辺を吊下支持するために、そのコード部分を保持部材１３における下端保持部１３ａの挿通孔１３ｄに懸回させるとともに、密封材９の上辺における取付部５２にて、一方の側部から他方の側部を抜けて当該一方の側部に戻すよう括り付けることで懸回させている。また、垂れ防止ループコード１１の一端部に設けられている結束用突起部１１ａと、懸回後に垂れ防止ループコード１１の他端部に設けられた嵌合孔１１ｅを穿設した結束用嵌合部１１ｂとを嵌合させることで無端状のコードが形成される。
【００４２】
図４（ａ）には、本実施形態の隙間閉塞装置８における吊りテープ１０の概略構成が示されており、吊りテープ１０の一端部側では密封材９の上辺における固着部５１に縫い付け等により固着させるための固着領域１０ｂが定められ、その他端部側では、長ピン軸６に対し係止位置を変更可能とする複数の係止穴１０ａが設けられている。
【００４３】
図４（ｂ）には、本実施形態の隙間閉塞装置８における垂れ防止ループコード１１の概略構成が示されており、垂れ防止ループコード１１の一端部側では結束用突起部１１ａが設けられ、垂れ防止ループコード１１の他端部側では、当該コード部分を保持部材１３における下端保持部１３ａの挿通孔１３ｄに懸回させ、且つ密封材９の上辺における取付部５２にて一方の側部から他方の側部を抜けて当該一方の側部に戻すよう括り付けることで懸回させた後に取着される結束用嵌合部１１ｂが設けられている。結束用突起部１１ａの先端部１１ｃは、結束用嵌合部１１ｂにおける挿入孔１１ｄに挿入して嵌合孔１１ｅにて嵌合可能な構造となっている。
【００４４】
図５（ａ），（ｂ），（ｃ），（ｄ）には、本実施形態の隙間閉塞装置８における係止部材１２の概略構成が示されている。係止部材１２の上端部１２ａは、略Ｕ字状の形状からなり、その開口部１２ｄは長ピン軸６の断面径よりも微かに広い幅を有し、その係合部１２ｃは、長ピン軸６の断面径と略同一か、又は微かに狭い幅を有する。係止部材１２の下端部１２ｂは、筒状の形状からなり、長ピン軸６を挿通可能とするよう長ピン軸６の断面径より微かに広い内径の挿通孔１２ｅを有する。そして、当該略Ｕ字状の上端部１２ａと当該筒状の下端部１２ｂとの間の基体部は弾性変形可能である。
【００４５】
図６（ａ），（ｂ），（ｃ），（ｄ）には、本実施形態の隙間閉塞装置８における保持部材１３の概略構成が示されている。保持部材１３は、短ピン軸７を挿通可能な断面径を有する挿通孔１３ｃを有する上端筒部１３ｂを備える。挿通孔１３ｃに挿通された短ピン軸７の先端はつぶし加工により保持部が形成され、これにより、保持部材１３は、短ピン軸７に対して回動可能に保持される。尚、保持部材１３の両側部に設けられる係止部１３ｅは、Ｘ字型連結部材５の蝶番形状に倣ってカーテン材２の側部から保持するための保持コード（図示せず）を係止するよう形成されている。また、保持部材１３の下端両側部には、垂れ防止ループコード１１のコード部分の一部を保持するべく当該コード部分を挿通可能な形状を有する挿通孔１３ｄを有する下端保持部１３ａが設けられている。
【００４６】
以上のように、本実施形態の隙間閉塞装置８は、密封材９、吊りテープ１０、垂れ防止ループコード１１、係止部材１２、及び保持部材１３を備え、カーテン材２の下辺と床面ＦＬとの間の隙間をカーテン材２の全閉状態時に閉塞可能にしている。
【００４７】
（吊りテープの係止方法）
次に、吊りテープ１０の係止方法について説明する。図７（ａ），（ｂ），（ｃ）は、本発明による一実施形態の隙間閉塞装置８における吊りテープ１０の係止方法について説明する図である。
【００４８】
まず、図７（ａ）を参照するに、密封材９の上辺にて一端を取付けた吊りテープ１０の他端は、係止穴１０ａを介して長ピン軸６の下端部に設置される。
【００４９】
続いて、図７（ｂ）を参照するに、長ピン軸６の下端部が係止部材１２の筒状の下端部１２ｂにおける挿通孔１２ｅに挿通され、当該略Ｕ字状の上端部１２ａと当該筒状の下端部１２ｂとの間の基体部は弾性変形可能であるため、係止部材１２における略Ｕ字状の上端部１２ａの開口部１２ｄが、Ｘ字型連結部材５の上方位置の長ピン軸６に設置される。
【００５０】
続いて、図７（ｃ）を参照するに、係止部材１２の上端部１２ａが長ピン軸６に向けて押し込まれることにより、略Ｕ字状の上端部１２ａの係合部１２ｃが長ピン軸６に係合する。これにより、吊りテープ１０を長ピン軸６の下端部に安定して係止させることができる。また、係止部材１２の基体部は弾性を有するため、メンテナンス時にも係止部材１２の着脱が容易であり、吊りテープ１０の係止位置の調整が容易となる。尚、吊りテープ１０の係止に係るその余分な端部が長くなるときは、係止部材１２と長ピン軸６で連結するＸ字型連結部材５の端部との間に挟み込むことが可能である。
【００５１】
（隙間閉塞装置の動作）
次に、本実施形態の隙間閉塞装置８の動作について説明する。図８（ａ），（ｂ）は、本発明による一実施形態の隙間閉塞装置８の動作について説明する図である。
【００５２】
まず、図８（ａ）を参照するに、カーテン材２が全開状態では、カーテン材２が固定框４側に畳み込まれ、Ｘ字型連結部材５の蝶番が拡がることで相対向する長ピン軸６の間の距離も拡がり、係止部材１２により各長ピン軸６に係止された吊りテープ１０が引張られ、密封材９が床面ＦＬに対して上昇する。このとき、垂れ防止ループコード１１は、密封材９に対する吊下支持の保持力は開放され、比較的自由度の有る態様で維持される。尚、図８（ａ）において、本発明の理解を高めるために、密封材９を略線状に図示しているが、カーテン材２が畳み込まれる態様に沿って、蛇腹状に畳み込まれる。
【００５３】
次に、図８（ｂ）を参照するに、カーテン材２を閉方向に引き出す際には、Ｘ字型連結部材５の蝶番が狭まることで相対向する長ピン軸６の間の距離も狭まり、各長ピン軸６に係止され引張られていた吊りテープ１０が床面ＦＬに向かって移動することにより密封材９が下降し、カーテン材２の全閉時には密封材９が床面ＦＬと接触する。このとき、垂れ防止ループコード１１は、密封材９に対する吊下支持の保持力を発揮し、カーテン材２の開閉方向に隣接する複数の吊りテープ１０間で密封材９が下方に垂れ込むのを防止する。
【００５４】
以上のように、本実施形態の隙間閉塞装置８によれば、部品点数を少なくするとともに低廉化を図った上で、カーテン材２の下辺と床面との間の隙間をカーテン材２の全閉状態時に閉塞することが可能となる。
【００５５】
また、本実施形態の隙間閉塞装置８によれば、カーテン材２の開閉に伴い、密封材９を上下させる構成としたため、カーテン材２の開閉に伴いカーテン材２及び密封材９の双方が床面と擦れることがなくなり、隙間閉塞装置８に関する管理負担及びランニングコストを減少させることが可能となる。
【００５６】
また、本実施形態の隙間閉塞装置８によれば、吊りテープ１０について、弾性且つ可撓性の材料で構成したため、居住者の足元に対する安全面を確保することが可能となる。
【００５７】
また、本実施形態の隙間閉塞装置８によれば、吊りテープ１０について、長ピン軸６に対し係止位置を変更可能とする複数の係止穴１０ａが設けられるため、間仕切り装置の装置幅の違いによる当該密封材９を吊下支持する際の位置調整を許容し容易にすることができる。
【００５８】
また、本実施形態の隙間閉塞装置８によれば、略Ｕ字状の上端部１２ａ及び筒状の下端部１２ｂを有する弾性の係止部材１２により、吊りテープ１０を長ピン軸６に対し係止するよう構成したため、容易に吊りテープ１０を係止できるようになる。
【００５９】
また、本実施形態の隙間閉塞装置８によれば、カーテン材２の開閉方向に隣接する吊りテープ１０間で、密封材９の上辺を吊下支持する吊下支持部材を設けるように構成したので、密封材９が下方に垂れ込むのを防止することができる。特に、本実施形態では、この吊下支持部材として、無端状とするべく末端を嵌合可能な垂れ防止ループコード１１により密封材９の上辺における一側部から懸回させて吊下支持するように構成したため、カーテン材２が全開状態では当該吊下支持の保持力を開放し、カーテン材２が全閉状態では当該吊下支持の保持力を発揮させることができ、カーテン材２の開閉方向に伴う吊りテープ１０による密封材９の上下方向の移動を安定化させることができる。
【００６０】
以上、特定の実施形態の例を挙げて本発明を説明したが、本発明は前述の実施形態の例に限定されるものではなく、その技術思想を逸脱しない範囲で種々変形可能である。例えば、密封材９として、布製の部材を例示したが、上述した作用効果を発揮させるものであれば他の如何なる材料でもよい。
【００６１】
また、上述の実施形態の説明では、吊りテープ１０の係止穴１０ａについて２つの丸穴を例示して説明したが、上述した作用効果を発揮させるものであれば如何なる個数及び如何なる形状の穴でもよい。
【００６２】
また、上述の実施形態の説明では、末端を嵌合し無端状の垂れ防止ループコード１１により密封材９の上辺における一側部から懸回させて吊下支持するように構成する例を説明したが、これは好適例であり、密封材９が比較的硬質な材料である場合など、密封材９の垂れ防止を必要としない用途の場合には必ずしも必要とされない。一方で、密封材９の垂れ防止を発揮させる吊下支持部材とするために、作業性の増大が許容される場合には、例えば吊りテープ１０よりも柔軟性の高い材料を用いて、短ピン軸７の下端部に取着する保持部材１３と密封材９の上辺に対して、それぞれ末端を固着する１本のコードで形成することも可能である。
【００６３】
また、上述の実施形態の説明では、短ピン軸７の下端部に取着する保持部材１３について一部材により構成する例について説明したが、例えば短ピン軸７を挿通するケース部材と、そのケース部材を短ピン軸７の末端に固定する係止部材の２部材構成とするなど、上述した作用効果を発揮させるものであれば如何なる形態でもよい。
【産業上の利用可能性】
【００６４】
本発明によれば、間仕切り部材の下辺と床面との間の隙間を密封材により間仕切り部材の全閉状態時に閉塞するにあたり、当該間仕切り装置の装置幅の違いによる当該密封材を吊下支持する際の位置調整を許容し容易にすることができる点、部品点数を少なくするとともに低廉化を図ることができる点、居住者の足元に対する安全面を確保する点、並びに管理負担及びランニングコストの減少させる点のうち１つ以上の作用効果を発揮させることが可能となるので、間仕切り部材の下辺における隙間を閉塞可能とする用途に有用である。
【符号の説明】
【００６５】
１  アコーディオンカーテン
２  間仕切り部材（カーテン材）
３  移動框
４  固定框
５  Ｘ字型連結部材
６  長ピン軸
７  短ピン軸
８  隙間閉塞装置
９  密封材
１０  吊りテープ
１１  垂れ防止ループコード
１２  係止部材
１３  保持部材
【図１】
2015212456.tif 000003
【図２】
2015212456.tif 000004
【図３】
2015212456.tif 000005
【図４】
2015212456.tif 000006
【図５】
2015212456.tif 000007
【図６】
2015212456.tif 000008
【図７】
2015212456.tif 000009
【図８】
2015212456.tif 000010